(57)【要約】【課題】破砕片の上方以外の飛散に対しても飛散を防止することが可能であり、単純な構成で緻密な制御を必要とせず、またコストを低く抑えることが可能な破砕片の飛散防護カバーを提供する。【解決手段】建物解体工事等で用いられる破砕機の先端に設けられる鋏付け開閉部材に備えられた破砕歯の噛合いで発生した破砕片が飛散するのを防護するためのカバーであって、前記カバーは、一対の各鋏付け片の外側面に添設される翼片によって構成され、且つ、前記翼片は、前記鋏付け片より前方に突出する長さを有する。【選択図】図３
2017223060.tif 000002
【特許請求の範囲】
【請求項１】
建物解体工事等で用いられる破砕機の先端に設けられる鋏付け開閉部材に備えられた破砕歯の噛合いで発生した破砕片が飛散するのを防護するためのカバーであって、
前記カバーは、一対の各鋏付け片の外側面に添設される翼片によって構成され、且つ、前記翼片は、前記鋏付け片より前方に突出する長さを有することを特徴とする破砕片の飛散防護カバー。
【請求項２】
前記翼片が、各々少なくとも１枚で構成されている請求項１に記載の破砕片の飛散防護カバー。
【請求項３】
前記翼片は、前記鋏付け片が閉じられた時に、該翼片の先端同士が重なり合うように構成される請求項１または２に記載の破砕片の飛散防護カバー。
【請求項４】
前記翼片が各々複数枚で構成される時は、隣接する該翼片の横幅を相異ならせることにより、前記翼片同士の重なり代を大きくしたものである請求項２または３に記載の破砕片の飛散防護カバー。
【請求項５】
前記翼片は、前記鋏付け片の外側面に固定された台座の上に設置された断面Ｌ字状アングルと、該アングルに取付けられるフラットバーとの間に挟持される構成である請求項１〜４のいずれかに記載の破砕片の飛散防護カバー。
【発明の詳細な説明】
【技術分野】
【０００１】
本発明は、コンクリート建造物の解体工事等で用いられる破砕機において、該破砕機の先端に設けられる鋏付け開閉部材に備えられた破砕歯の噛合いによって生じる破砕片（ボルト、ナット、リベット、コンクリート片、金属片等の解体部材）の飛散を防護するためのカバーに関する。
【背景技術】
【０００２】
コンクリート建造物の解体工事等において、破砕機の先端に設けられる鋏付け開閉部材に備えられた破砕歯の噛合いによりコンクリート等の破砕を行っている。当該コンクリート等の破砕に伴い、コンクリートの鉄骨同士を結合しているボルト、ナット、リベット、コンクリート片、金属片等の破砕片が発生し、該破砕片が四方八方に飛散して、周辺の民家や通行人に被害を及ぼすことが指摘されている。この問題を解決するために、破砕機に対して種々の対策が提案されている。例えば、特許文献１には、解体機の作業用フロントの先端のアームに設けた取付け枠と、該取付け枠に設けた枢着軸を中心として、駆動装置により前後方向に回動可能に取付けたカバー枠と、該カバー枠に取付けられ、該カバー枠を前方に回動させた姿勢において、アームに取付けた破砕具を上側から覆うカバー材とを備えた飛散防止装置が提案されている。
【０００３】
特許文献１によれば、解体機の作業用フロントのアームに飛散物の上方への飛散を防止するカバー材を取付けたので、飛散防止シートを必要以上に高くすることや、飛散物防止のためのクレーンを備える必要がなくなり、解体作業における人的および解体用設備上の負担が軽減される旨記載されている。また、アームに飛散防止装置を取付けたので、カバー材を自動的に破砕具上に位置させることができ、クレーンを用いた場合のようなカバー材の位置調整が不要となり、操作が容易となること、解体機以外にクレーンを併置する必要がないため、クレーンと解体機の干渉がなく、解体作業が容易になるとされている。さらに、カバー材を取付けたカバー枠を前後に回動可能としたので、飛散物が上方に飛ぶ心配が無い場合には、カバー枠を後方に退避させておくことにより、解体作業がし易くなるとされている。
【先行技術文献】
【特許文献】
【０００４】
【特許文献１】特開２０１６−１７２８５号公報
【発明の概要】
【発明が解決しようとする課題】
【０００５】
特許文献１の飛散防止装置は、飛散物の上方への飛散を防止する効果は認められるが、上方以外の横方向や斜め方向からの飛散物に対しては何ら対策が施されていないため、飛散防止効果が十分であるとはいえなかった。また、当該飛散防止装置の構成が大がかりなもので、緻密な制御が必要であり、またコスト的な負担も大きいことから、実用化するためには課題があった。
【０００６】
本発明は上記の事情に着目してなされたものであって、その目的は、破砕片の上方以外の飛散に対しても飛散を防止することが可能であり、単純な構成で緻密な制御を必要とせず、またコストを低く抑えることが可能な破砕片の飛散防護カバーを提供することにある。
【課題を解決するための手段】
【０００７】
上記課題を解決し得た本発明の飛散防護カバーは、建物解体工事等で用いられる破砕機の先端に設けられる鋏付け開閉部材に備えられた破砕歯の噛合いで発生した破砕片が飛散するのを防護するためのカバーであって、前記カバーは、一対の各鋏付け片の外側面に添設される翼片によって構成され、且つ、前記翼片は、前記鋏付け片より前方に突出する長さを有する点に特徴を有する。
【０００８】
本発明の飛散防護カバーは、前記翼片が、各々少なくとも１枚で構成されていることが好ましい。
【０００９】
本発明の飛散防護カバーは、前記鋏付け片が閉じられた時に、該翼片の先端同士が重なり合うように構成されることが好ましい。
【００１０】
本発明の飛散防護カバーは、前記翼片が各々複数枚で構成される時は、隣接する該翼片の横幅を相異ならせることにより、前記翼片同士の重なり代を大きくしたものであることが好ましい。
【００１１】
本発明の飛散防護カバーは、前記翼片が、前記鋏付け片の外側面に固定された台座の上に設置された断面Ｌ字状アングルと、該アングルに取付けられるフラットバーとの間に挟持される構成であることが好ましい。
【発明の効果】
【００１２】
本発明の飛散防護カバーによれば、コンクリート建造物の解体工事等によって発生する破砕片の飛散があらゆる方向からのものであっても防護することが可能であり、また、大がかりな構成と緻密な制御が必要でなく、コスト的な負担を軽減することが可能である。
【図面の簡単な説明】
【００１３】
【図１】破砕機の先端に設けられる鋏付け開閉部材の斜視図の一例である。（ａ）は、鋏付け開閉部材が閉じた状態である。（ｂ）は、鋏付け開閉部材が開いた状態である。
【図２】破砕機の先端に設けられる鋏付け開閉部材の正面図の一例である。（ａ）は、鋏付け開閉部材が閉じた状態である。（ｂ）は、鋏付け開閉部材が開いた状態である。
【図３】本発明の実施の形態に係る飛散防護カバーの正面図の一例である。（ａ）は、鋏付け開閉部材が閉じた状態である。（ｂ）は、鋏付け開閉部材が開いた状態である。（ｃ）は、Ａ―Ａ断面図である。
【図４】本発明の実施の形態に係る飛散防護カバーの正面図の他の一例である。（ａ）は、鋏付け開閉部材が閉じた状態である。（ｂ）は、鋏付け開閉部材が開いた状態である。（ｃ）は、Ｂ―Ｂ断面図である。
【図５】本発明の実施の形態に係る飛散防護カバーが鋏付け片の外側面に固定される様子を示す概略図である。
【発明を実施するための形態】
【００１４】
以下、図面を参照しつつ本発明の実施の形態について説明するが、本発明は以下の実施の形態のみに限定されず、前・後記の趣旨に適合し得る範囲で変更を加えて実施することも可能であり、それらはいずれも本発明の技術的範囲に包含される。以下の説明では、同一の部品には同一の符号を付してある。
【００１５】
図１、２に、コンクリート建造物の解体工事等で用いられる破砕機［大割機（クラッシャー）］の先端に設けられる鋏付け開閉部材の斜視図、及び正面図の一例をそれぞれ示す。（ａ）は、鋏付け開閉部材が閉じた状態であり、（ｂ）は、鋏付け開閉部材が開いた状態である。
【００１６】
図１、２に示すように、破砕機先端に設けられる鋏付け開閉部材１は、一対の鋏付け片２、一対の油圧シリンダ３、鋏付け片支持体４を備えている。一対の鋏付け片２は、略三角形状に形成されて線対称に配設されており、後端内側が鋏付け片支持体４に枢着支持され、さらに後端外側が鋏付け片支持体４に取付けられた２つの油圧シリンダ３のシリンダ外筒に枢着支持されている。一対の鋏付け片２には、最先端部にコンクリート建造物を破砕する先端破砕歯２ａが対向して配設され、鋏付け片支持体４の枢着支持部近傍に鉄筋、鉄骨等を切断する剪断歯（図示せず）が対向して配設され、さらに先端破砕歯２ａと剪断歯の間にコンクリート建造物を破砕する中間破砕歯２ｂが対向して配設されている。
【００１７】
図３に、本発明の実施の形態に係る飛散防護カバーの正面図を示す。（ａ）は鋏付け開閉部材が閉じた状態、（ｂ）は、鋏付け開閉部材が開いた状態、（ｃ）は（ａ）のＡ−Ａ断面図である。（ａ）に示すように、飛散防護カバー５は、一対の各鋏付け片２の外側面に添設される翼片によって構成されており、且つ、該翼片は、該鋏付け片２より前方に突出する長さを有している。つまり、飛散防護カバー５は、一対の鋏付け片２の各外側面から該鋏付け片２の内側面に向かって包み込む形状になっており、例えるならば、鳥の翼を拡げた形状（翼片）となっている。（ａ）、（ｃ）に示すように、鋏付け開閉部材１が閉じた状態では、飛散防護カバー５は相互に重ね合わされることにより、一体化する構成となっている。
【００１８】
上記飛散防護カバーの構成により、コンクリート建造物の解体工事等によって発生する破砕物の飛散があらゆる方向からのものであっても防護することが可能であり、また、大がかりな構成と緻密な制御が必要でなく、コスト的な負担を軽減することができる。また、該カバーの隙間から破砕物が飛び出るのを抑えることができ、破砕物の飛散を未然に防ぐことができる。
【００１９】
図４に、本発明の飛散防護カバーの正面図の他の例を示す。（ａ）は、鋏付け開閉部材が閉じた状態、（ｂ）は、鋏付け開閉部材が開いた状態、（ｃ）は（ａ）のＢ−Ｂ断面図である。本発明の飛散防護カバーは、小型から大型までの種々の破砕機の鋏付け開閉部材に対応すべく汎用性を高めることを考慮して、該カバーが分割された構成を用いても良い。例えば（ａ）、（ｂ）に示すように、飛散防護カバー５が３分割された構成の場合、各々の飛散防護カバー５が相互に重ね合わされることにより、一体化する構成となっている。なお、飛散防護カバー５の分割数について特に限定するものではなく、該カバーの操作性や製造の容易性等を考慮して、少なくとも２分割されたものを用いることがより好ましい。
【００２０】
また、飛散防護カバーは、コンクリート建造物の解体工事等における解体状況、あるいは破砕物の飛散状況等を目視で確認できる観点から、透明製のものを用いることが好ましい。さらに、破砕物の飛散による衝撃を飛散防護カバー自体が吸収することができ、該衝撃による応力集中を回避して分散させる観点から、該カバーの材質と構造の両面から最適な設計を行うことが好ましい。材質としては、可撓性、柔軟性を有し、且つ軽量である樹脂素材を用いることがより好ましい。具体的には、ポリ塩化ビニル、ポリプロピレン、ポリカーボネート、ポリスチレン等の樹脂を用いることが好ましく、特にポリ塩化ビニルがより好ましい。構造としては、破砕物の衝突に対して弾性変形が可能となるように弓なり形状とする構成やバネ等の弾性部材を組合せた構成とすることが好ましい。
【００２１】
なお、図１〜４に関連する破砕機は大割機（クラッシャー）を対象に説明したものであるが、この図以外のコンクリート建造物の解体工事等で使用される各種ブレーカ、小割機等に適用することができる。
【００２２】
図５は、飛散防護カバー５が鋏付け片２の外側面に固定される様子を示す概略図の一例である。飛散防護カバー５を鋏付け片２の外側面に固定するには、まず、該鋏付け片２の外側面に台座６を溶接により固定する。次に、台座６の上に断面Ｌ字状のアングル７をボルト締めにより固定する。さらに、該アングル７に対向するフラットバー８を準備し、該アングル７と該フラットバー８の間に挟持されるように飛散防護カバー５を配置してボルト締めする。このように、単純な構成により飛散防護カバー５を鋏付け片２の外側面に固定することができることから、複雑な手順を必要とせず、該鋏付け片２への取付けを容易に行うことができる。また、防護飛散カバー５は簡単に取り外すことができることから、鋏付け片２のメンテナンス（例えば、破砕歯の手入れ等）を容易に行うことができる。
【００２３】
なお、台座６、フラットバー８の仕様に関して、特に限定するものではないが、耐久性と耐腐食性の観点から、ステンレス製が好ましく、ＳＵＳ３０４、及びＳＵＳ３１６がより好ましく、ＳＵＳ３１６がさらに好ましい。また、アングル７は、断面形状がＬに近い形鋼であり、Ｌ字鋼といわれるものであれば特に限定されない。
【００２４】
上記飛散防護カバー５の鋏付け片２の外側面への固定方法は、最も単純な構成を示した一例であり、特に限定されるものではなく、破砕機や鋏付け片の構造によって適宜変更することが可能である。
【００２５】
以上のように、本発明の破砕片の飛散防護カバーは、コンクリート建造物の解体工事等によって発生する破砕片の飛散に対して、発生源近傍のアームに直接取付けることができるので、あらゆる方向の破砕片の飛散に対して確実に対応することができる。
【符号の説明】
【００２６】
１    鋏付け開閉部材
２    鋏付け片
２ａ  先端破砕歯
２ｂ  中間破砕歯
３    油圧シリンダ
４    鋏付け片支持体
５    飛散防護カバー
６    台座
７    断面Ｌ字状アングル
８    フラットバー
【図１】
2017223060.tif 000003
【図２】
2017223060.tif 000004
【図３】
2017223060.tif 000005
【図４】
2017223060.tif 000006
【図５】
2017223060.tif 000007